(57)【要約】【課題】従来の緊張機は、被覆ワイヤロープの緊張時に、それに吊り下げた安全ネットおよびそのネットに及ぼす他要因の過大力が、巻取り部のラチェット機構およびそれを設けた側の側板にかかり、多大な負荷となっている恐れがあった。【解決手段】間隔をあけた一対の側板３，４の一方の側板４の外側に設けたラチェット機構７を、巻取り部６と同じ支持軸１１に回転自在に支持したラチェット歯車１２と、支持軸１１と所定間隔をあけて側板４に設けた支軸１６に回転自在に支持したラチェット爪１７とから成し、さらに支持軸１１と支軸１６とに懸架した補強板１８を設けた構成とした。これにより、ラチェット機構７および側板４にかかる過大な力を補強板１８によって分散させて、安全ネットの吊り下げ時における緊張機自体の耐性を向上させることができる。【選択図】図１
2008095933.tif 000002
【特許請求の範囲】
【請求項１】
所定間隔をあけて対向した一対の側板と、該両側板の対応する一端側同士を間隔をあけて連結しフックを回転自在に支持した連結軸と、前記両側板の他端側同士の間に回転自在に設け、ロープを挿通させる挿通孔を具備して該挿通孔に挿通したロープを正回転時に巻き取る巻取り部と、前記一方の側板の外側に設けた、前記巻取り部の逆回転を阻止するラチェット機構とを備え、前記ラチェット機構が前記巻取り部と同じ支持軸に一体的に回転自在に支持したラチェット歯車と、ラチェット歯車の前記支持軸と所定間隔をあけて前記一方の側板に設けた支軸に回転自在に支持した前記ラチェット歯車に噛合して係止するラチェット爪と、ラチェット歯車の前記支持軸とラチェット爪の前記支軸とに懸架した補強板とを具備したことを特徴とするロープ緊張機。
【請求項２】
前記ラチェット爪とこれを設けた前記側板との間に前記ラチェット歯車に対するラチェット爪の係止解除防止ピンを着脱自在に設けたことを特徴とする請求項１に記載のロープ緊張機。
【請求項３】
前記巻取り部の外形形状を矩形体形状としたことを特徴とする請求項１または２に記載のロープ緊張機。
【請求項４】
前記巻取り部の前記挿通孔を断面四角形状に形成したことを特徴とする請求項１ないし３のいずれか一項に記載のロープ緊張機。
【請求項５】
外形形状が矩形体形状である前記巻取り部にて前記挿通孔を形成していない面間の厚さを前記一対の側板側に向けて次第に厚さを増したことを特徴とする請求項３または４に記載のロープ緊張機。
【発明の詳細な説明】
【技術分野】
【０００１】  本発明は、建物建築の際の安全ネット養生用の被覆ワイヤ、ワイヤロープなどのロープを緊張するための緊張機に関するものである。
【背景技術】
【０００２】  高層建物などの建物建築の際、安全ネットを建築中の外壁面側に張って、落下物が建物敷地外に落下するのを防止している。これら安全ネットを外壁面側の鉄骨柱間に張るには、被覆ワイヤロープを鉄骨柱間に掛け、それに柱間の長さの幅を持つ垂直ネットを懸下させている。この被覆ワイヤロープを柱間に架設するため、従来ではターンバックルを使用していたが、近年ではラチェット機構を備えた緊張機を使用するようになっている。【０００３】  このラチェット機構を備えた緊張機としては、特許文献１に示すような円柱巻取り部を使用してその胴体に丸孔を穿設し、その丸孔に被覆ワイヤロープを挿入し巻き取り部を回転して被覆ワイヤロープを巻き取るというものが提案されている。この緊張機にて被覆ワイヤロープを柱間に架設するには、まず一方の柱に取付けた半環状ピースに、被覆ワイヤロープ先端に形成した環状連結部（アイ部とも称する）をシャックルによって結合し、他方の柱に取付けた半環状ピースに緊張機のフックを掛け、被覆ワイヤロープの他端である自由端を緊張機巻取り部の丸孔に挿入して、巻取り部をラチェット機構に反しながら正回転方向に巻き上げ、被覆ワイヤロープの緊張状態にてラチェット機構によって巻取り部の逆回転を阻止して、このワイヤロープの架設を完了する。
また、ラチェット機構を備えた他の緊張機としては、特許文献２に示すように、巻取り部として矩形体のものを使用し、この矩形体に四角形の大きめな挿通孔を穿設したものがある。このタイプの緊張機は、上述の円柱巻取り部を使用したものに比べ、被覆ワイヤロープを挿通させる孔の大きさを大きくとれるという自由度を確保でき、外径の比較的大きな被覆ワイヤロープを使用できるという利点がある。
【特許文献１】特開２０００−２８３２２４７号公報
【特許文献２】特開２００２−１４７５４０号公報
【発明の開示】
【発明が開示しようとする課題】
【０００４】  これら緊張機の巻取り部は、巻取り部およびフックを一対の側板間に渡したそれぞれの支持軸に支持させ、かつ巻取り部を支持する同じ軸に側板外にてラチェット機構のラチェット歯車を回転自在に設けて、ラチェット爪を同じ側板外に設けた支軸に回転可能に設けている。しかしながら被覆ワイヤロープの緊張時には、安全ネットの重量自体がかかるとともに、安全ネットに及ぼす風などの影響により過大な力が、緊張機に特に巻取り部の逆転を阻止するラチェット機構およびそれを設けた側の側板にかかり、緊張機に多大な負荷となっている恐れがある。
【０００５】  本発明は、上述の問題点を解消し、緊張機のラチェット機構にかかる過大な力を分散させて養生ネット吊り下げ時の耐性を向上させた緊張機を提供することを目的とする。
【課題を解決するための手段】
【０００６】  本発明は上記目的を達成するために、所定間隔をあけて対向した一対の側板と、該両側板の対応する一端側同士を間隔をあけて連結しフックを回転自在に支持した連結軸と、上記両側板の他端側同士の間に回転自在に設け、ロープを挿通させる挿通孔を具備して該挿通孔に挿通したロープを正回転時に巻き取る巻取り部と、上記一方の側板の外側に設けた、上記巻取り部の逆回転を阻止するラチェット機構とを備え、上記ラチェット機構が上記巻取り部と同じ支持軸に回転自在に支持したラチェット歯車と、ラチェット歯車の上記支持軸と所定間隔をあけて上記一方の側板に設けた支軸に回転自在に支持した上記ラチェット歯車に噛合して係止するラチェット爪と、ラチェット歯車の上記支持軸とラチェット爪の上記支軸とに懸架した補強板とを具備したロープ緊張機にある。補強板は、ラチェット機構およびそれを設けた側の側板にかかる多大な負荷を分散させるのに十分な素材で作製する。たとえばステンレス、スチールを使用するのが好ましい。
【０００７】  第２の課題解決手段は、上記ラチェット爪とこれを設けた上記側板との間に前記ラチェット歯車に対するラチェット爪の係止解除防止ピンを着脱自在に設けたものである。
【０００８】  第３の課題解決手段は、上記巻取り部の外形形状を矩形体形状としたものである。巻取り部の矩形体の大きさは、それに穿設する挿通孔の大きさと緊張機に求められる重量との関係に基づき決まる。たとえば短手幅５５ｍｍ〜１８ｍｍ、長手幅７５ｍｍ〜２５ｍｍ、厚さ２９ｍｍ〜９ｍｍが好ましい。
【０００９】  第４の課題解決手段は、上記巻取り部の上記挿通孔を断面四角形状に形成したものである。断面四角形の挿通孔は、比較的外径の大きい被覆ワイヤロープを挿通させるのに十分な大きさであればよい。たとえば短手幅２６ｍｍ〜８ｍｍ、長手幅４５ｍｍ〜１５ｍｍであるのが好ましい。
【００１０】  第５の課題解決手段は、外形形状が矩形体形状である上記巻取り部にて上記挿通孔を形成していない面間の厚さを上記一対の側板側に向けて次第に厚さを増したものである。
【００１１】  第１の課題解決手段の作用は、ラチェット歯車の支軸を通してラチェット歯車からラチェット爪へ、そして支軸から一方の側板にかかる被覆ワイヤロープの架設時の負荷を、補強板によってラチェット歯車の支軸にもフィードバックさせて分散させることができる。たとえば補強板がない場合では最大で１．５トンの負荷耐性しかなかったものが２トンの負荷耐性を持つことになる。
【００１２】  第２の課題解決手段の作用は、係止解除防止ピンによって、ワイヤロープの架設時にラチェット爪が不測の回転をしてラチェット歯車から外れるという恐れを回避することができる。しかも、係止解除防止ピンを着脱自在にラチェット爪に取り付けるので、ラチェット爪をラチェット歯車に係止した後、このピンをラチェット爪とその近傍の側板と間に設けるので、架設作業において何ら支障をもたらさない。
【００１３】  第３の課題解決手段の作用は、巻取り部の矩形体形状自体により、挿通孔に挿通させたワイヤロープの巻き取りを容易にし、かつ矩形体の面角部でワイヤロープに抵抗を与えてワイヤロープの緊張を容易に行うことができる。
【００１４】  第４の課題解決手段の作用は、断面四角形状とした挿通孔により比較的外径の大きいワイヤロープを緊張させることができる。たとえば１４ｍｍの外径を持つワイヤロープ、被覆ワイヤロープの場合１６ｍｍの外径を持つものでも十分に挿通かつ緊張させることができる。
【００１５】  第５の課題解決手段の作用は、巻取り部の薄厚部分において挿通孔を挿通したワイヤロープの折り返しを容易にし、かつワイヤロープを巻取り部中央に寄せつつ巻き取るので、ロープを巻き取り作業および緊締を容易にすることができる。
【発明の効果】
【００１６】  本発明の緊張機は、緊張機のラチェット機構およびそれを設けた側の側板にかかる過大な力を補強板によって分散させて、安全ネットの吊り下げ時における緊張機自体の耐性を向上させることができる。
【発明を実施するための最良の形態】
【００１７】  以下、本発明の実施の形態を図面に基づいて説明する。【００１８】  緊張機は、図１に示すように、被覆ワイヤロープを緊張するための緊張機本体１と、緊張機を建築中の建物の柱に取付けた半環状ピースに掛けるためのフック２とから構成されている。緊張機本体１は、所定間隔をあけて対向した一対のスチール製側板３，４と、両側板の対応する一端側同士を間隔をあけて連結し、フック２を回転自在に支持した連結軸であるボルト５と、両側板３，４の他端側同士の間に回転自在に設け、ワイヤロープを巻き取るためのスチール製巻取り部６と、一方の側板４の外側に設け、巻取り部６の逆回転を阻止するラチェット機構７とからなる基本機構を備えている。【００１９】  巻取り部６は、図２に示すようにその外形形状を矩形体形状とし、被覆ワイヤロープを挿通させる断面四角形状の挿通孔８を形成している。巻取り部６は、挿通孔８に挿通した被覆ワイヤロープを正回転時に巻き取るようになっている。巻取り６部は、その矩形体形状により、挿通孔８に挿通させた被覆ワイヤロープの巻き取りを容易にし、かつ矩形体の面角部で被覆ワイヤロープに抵抗を与えてこのロープの緊張を容易に行うことができるようになっている。この実施の形態における巻取り部の寸法は、より大きな面積を持つ第１の面６ａの長手方向の幅が５０ｍｍであり、短手方向の幅が３７ｍｍである。より小さな面積を持つ第２の面６ｂの長手方向の幅が５０ｍｍであり、短手方向の幅が１９ｍｍとなっている。【００２０】  挿通孔８は、断面四角形の孔形状によって比較的外径の大きい被覆ワイヤロープを緊張させることができるようになっている。たとえば１４ｍｍの外径を持つワイヤロープでも十分に挿通かつ緊張させることができる。この実施の形態における挿通孔８の断面寸法は、長手方向の幅が３０ｍｍであり、短手方向の幅が１７ｍｍとなっている。しかも、挿通孔８の両開口は、ワイヤ保護のため面取りが施されている。【００２１】  さらに巻取り部６は、図２および図３に示すように、第２の面６ｂ，６ｂ間の厚さを中央から両端側に向けて次第に厚さを増した形状となっている。かかる厚さ形状は、巻取り部６の薄厚部分において挿通孔８を挿通したワイヤロープの折り返しを容易にし、かつワイヤロープを巻取り部中央に寄せつつ巻き取るので、ロープを巻き取り作業および緊締を容易にすることができるようになっている。この実施の形態では、端面から最深５ｍｍをえぐるような曲面寸法になるよう形成されている。【００２２】  巻取り部６の一方の側端面６ｃに、先端が四角柱状の支持軸９が一体的に突設され、側板３の孔を通った支持軸９の先端四角柱状部分をその外形に合わせた通孔を持つナット１０に嵌合している。巻取り部６の他方の側端面６ｄにも、支持軸１１が一体的に突設されている。支持軸１１は、外方に向けて順に円柱軸部１１ａと四角柱状軸部１１ｂとを形成しており、軸部１１ａ先端の軸方向に平行に４方向から切り込んで形成したほぞ機能をもつ絞り係合部１１ｃにラチェット機構７を成すラチェット歯車１２を嵌め、四角柱状軸部１１ｂをその外形に合わせた四角孔１３ａを持つナット１３に嵌合している。すなわちラチェット歯車１２の芯部にも、図４に示すように、絞り係合部１１ｃを嵌合させるようその外形に合わせた形状を持つ係合孔１２ａが形成されており、巻取り部６とラチェット歯車１２は一体的に回転するようになっている。ナット１０，１３にはスプリングピン孔１０ａ，１３ａが形成され、それぞれの孔および支持軸９，１１にも形成した対応する孔（図示略）を挿通したスプリングピン１４，１５によって固定されている。【００２３】  ラチェット機構７は、ラチェット歯車１２と、ラチェット歯車１２の支持軸１１と所定間隔をあけて側板４に設けた支軸１６に回転自在に支持したラチェット爪１７と、支持軸１１と支軸１６とに懸架した補強板１８とを具備した構成となっている。ラチェット爪１７の内側には、ラチェット爪１７をラチェット歯車１２と噛合する方向に付勢するコイルスプリングなどの付勢機構（図示略）が設けられている。【００２４】  補強板１８は、支持軸１１を通してラチェット歯車１２からラチェット爪１７へ、そして支軸１６から側板４にかかる被覆ワイヤロープの架設時の負荷を、補強板１８を通してラチェット歯車１２の支持軸１１にフィードバックさせて分散させるものである。たとえば補強板１８がない場合では最大で１．５トンの負荷耐性しかなかったものが２トンの負荷耐性を持つことになる。かかる点から補強板１８は、ラチェット機構７にかかる多大な負荷を分散させるのに十分な素材で作製する。たとえばステンレス、スチールを使用するのが好ましい。この実施の形態では、略楕円形状となし、長手方向の幅７７ｍｍ、短手方向の幅３０ｍｍ、厚さ３ｍｍとなっているが、補強板１８の形状・大きさはこれらに拘泥されるものではない。【００２５】  ラチェット機構７の組み立ては、図４に示すように支持軸１１にラチェット歯車１２を嵌めるとともに、支軸１６にラチェット爪１７を嵌め、ラチェット爪１７のピン孔１７ａに上述のコイルスプリングを止めるビス４７を嵌めてラチェット爪１７を固定する。次に図４に示すように、補強板１８に形成した２つの四角孔１８ａ，１８ｂに支持軸１１の四角柱状軸部１１ｂおよび支軸１６の四角柱状軸部１６ａをそれぞれ通し、ついでナット１３の四角孔１３ａおよびナット１９の四角孔１９ａに嵌合する。そしてスプリングピン１５をしてナット１３を支持軸１１に固定する。ナット１９の固定は、支軸１６先端にスナップリング４８を嵌めて行われる。そのため、支軸１６の先端にはスナップリング止め１６ｂが形成されている。補強板１８は、ラチェット歯車１２およびラチェット爪１７の軸周りの回転に差し支えないようなわずかなクリアランスを設けて配置する。【００２６】  ラチェット爪１７には、さらにラチェット爪１７と側板４との間に、ラチェット歯車１２に対するラチェット爪１７の係止解除防止ピン２１を着脱自在に設けている。係止解除防止ピン２１は、被覆ワイヤロープの架設時にラチェット爪１７が不測の回転をしてラチェット歯車１２から外れるという恐れを回避するためのものである。ピン２１をラチェット爪１７に着脱自在に取り付けるのは、ラチェット爪１７をラチェット歯車１２に係止した後で行うので、被覆ワイヤロープの架設作業において何ら支障をたらさない。ピン２１は、図５および図６に示すように、一端を固���した係止ワイヤ２２を係止孔２１ａに通して止めて側板４に常時係止され、ピン２１の先端では係止片２１ｂを軸２１ｃにて回転自在に連結している。係止片２１ａを先方にしてピン２１をラチェット爪１７のピン挿通孔１７ａ、そして側板４の係留孔４ａを挿通した後、挿入先端の係止片２１ａをピン２１に対して図５にて二点鎖線にて示すように直角方向に回転させて、ピン２１をラチェット爪１７側に引っ張れば側板４の内面に係止されるようになっている。【００２７】  フック２は、図１に示すように、ボルト５に回動自在に連結された環状部２３と、環状部２３から一体に延設され柱に係着される半環状のフック部２４と、フック部２４の基部に開閉自在に軸支されフック部２４を柱から外れないようにするアーム部２５とからなる。アーム部２５は、初期状態にてフック部２３と共働してループを形成するようにばね２６によって開いた状態に付勢されている。この状態においてフック部２４先端とアーム部２５先端とは当接している。アーム部２５は、フック部２４の基部の上側・下側に位置する第１アーム２５ａと第２アーム２５ｂとからなり、第１アーム２５ａの一端をフック部２４の基部に枢支させ、第２アーム２５ｂの一端をアーム部２４の基部の異なった位置に枢支させ、第１アーム２５ａに形成した弓形孔２５ｃに第２アームに形成したピン２５ｄをスライド可能に係合させて、両アーム２５ａ，２５ｂを握ってばね２６の付勢力に抗しながらピン２５ｄを弓形孔２５ｃ内をスライドさせつつ閉めると、第２アーム２５ａ先端がフック部２４先端から離れて、その空隙に柱に取付けた半環状ピースを通してフック部２４を掛けることができるようになっている。【００２８】  環状部２３を支持したボルト５は、図３に示すように、側板４側から挿通されて、その外周面に嵌合された内部カラー２７と、その外周面に嵌合された２つの外部カラー２８，２９と、他方の側板３の外側に突き出たボルト５先端の四角柱状部５ａに嵌めたナット３０とから構成されている。ナット３０にはスプリングピン孔３０ａが形成され、スプリングピン４６がスプリングピン孔３０ａおよびボルト５の四角柱状部５ａに形成した対応する孔（図示略）を通してナット３０を固定する。これらナット３０およびボルト５の四角柱状部５ａの形状は、支持軸９とナット１０のそれら形状と同様である。内部カラー２７は、側板３，４同士の間隔を決定する長さであり、外部カラー２８，２９はそれらの間にフック２の環状部２３を配置し得る長さである。【００２９】  次に、この実施の形態にかかる緊張機の作用を説明する。
この緊張機で被覆ワイヤロープを鉄骨柱間に緊張する際には、図７に示すように、まず一方の鉄骨柱４０に取付けた半環状ピース４１に周知のシャックル４２を用いて被覆ワイヤロープ４３の先端に取付けた形成した環状連結部４３ａを結合し、他方の柱４４に取付けた半環状ピース４５に緊張機のフック２を係着する。【００３０】  次に、緊張機本体１のラチェット歯車１２と係止解除ピン２１を外したラチェット爪１７との噛合状態を確認し、被覆ワイヤロープ４３の他端部を緊張機本体１の巻取り部６の挿通孔８に余裕を残して挿通し、被覆ワイヤロープ４３を手で緊張する。ラチェット歯車１２の外方のナット１３に図示を省略したレンチを係合し、このレンチを、被覆ワイヤロープ４３を緊張させる正回転方向すなわち図８にて矢印Ｒ方向に回転する。これにより、巻取り部６が回転して、ロープ４３を段階的に巻き取って緊張する。【００３１】  そして、被覆ワイヤロープ４３の緊張状態におけるラチェット歯車１２とラチェット爪１７との噛合状態において、係止解除ピン２１をラチェット爪１７のビン挿通孔１７ａ、つづいて側板４の係留孔４ａに挿通し、先端の係止片２１ａをピン２１のピン本体に対して直角方向に回転させてピン２１をラチェット爪１７側に引っ張れば側板４の内面に係止される。これにより被覆ワイヤロープ４３の架設を完了する。【００３２】  この緊張によって被覆ワイヤロープ４３を柱間に架設した状態において、被覆ワイヤロープ４３の架設時の負荷は、巻取り部６のねじ軸１１を通してラチェット歯車１２からラチェット爪１７へ、そしてねじ軸１６から側板４にかかるとともに、補強板１８を通して巻取り部６のねじ軸１１にもフィードバックさせて分散されることになる。
【産業上の利用可能性】
【００３３】  本発明にかかるロープ緊張機は、建物建築の際の安全ネット養生用の被覆ワイヤロープを緊張して、建物の鉄骨柱間に被覆ワイヤロープを架設するのに使用できるが、これだけに限定されるものではなく、ワイヤロープなどの各種ロープの架設、緊張に使用できる。
【図面の簡単な説明】
【００３４】
【図１】本発明に係わる緊張機の実施の形態を示す斜視図
【図２】同緊張機の巻取り部の斜視図
【図３】同緊張機の緊張機本体の平面図
【図４】同緊張機のラチェット機構の展開図
【図５】同緊張機の係止解除ピンの正面図
【図６】同緊張機の係止解除ピンの平面図
【図７】同緊張機を用いた被覆ワイヤロープの柱間での架設状態を示す正面図
【図８】同緊張機を用いた被覆ワイヤロープの緊張状態を示す平面図
【符号の説明】
【００３５】１          緊張機本体
２          フック
３          側板
４          側板
５          ボルト（連結軸）
６          巻取り部
７          ラチェット機構
８          挿通孔
９，１１    支持軸
１２        ラチェット歯車
１６        支軸
１７        ラチェット爪
２１        係止解除防止ピン
【図１】
2008095933.tif 000003
【図２】
2008095933.tif 000004
【図３】
2008095933.tif 000005
【図４】
2008095933.tif 000006
【図５】
2008095933.tif 000007
【図６】
2008095933.tif 000008
【図７】
2008095933.tif 000009
【図８】
2008095933.tif 000010